(57)【要約】【課題】  高さ調節機構を含む全ての部材を、肘掛け支柱に、その上方より容易に組付け可能とする。【解決手段】  上端が開口された上方を向く筒状の肘掛け支柱２の上端部内に、長手方向に沿って２分割構造をなし、かつ内面に上下複数段の係止溝１４を有する筒状の高さ調節部材１２を上方より嵌着し、該高さ調節部材１２内に、上端に肘当て支持板５０を有するとともに、係止溝１４に選択的に係脱可能な停止部材１３を備える肘当て支持杆３を、上下に摺動可能に嵌合し、肘当て支持板５０に、その外周面と、肘当て支持杆３及び肘掛け支柱２の上部を覆う、上下両端が開口された筒状のカバー部材５の上端を固定し、かつ肘当て支持板５０の上面に、肘当て４を取付ける。【選択図】  図３
2005131236.tif 000002
【特許請求の範囲】
【請求項１】
上端が開口された上方を向く筒状の肘掛け支柱の上端部内に、長手方向に沿って２分割構造をなし、かつ内面に上下複数段の係止溝を有する筒状の高さ調節部材を上方より嵌着し、該高さ調節部材内に、上端に肘当て支持板を有するとともに、前記係止溝に選択的に係脱可能な停止部材を備える肘当て支持杆を、上下に摺動可能に嵌合し、前記肘当て支持板に、その外周面と、前記肘当て支持杆及び肘掛け支柱の上部を覆う、上下両端が開口された筒状のカバー部材の上端を固定し、かつ前記肘当て支持板の上面に、肘当てを取付けたことを特徴とする椅子の肘掛け装置。
【請求項２】
高さ調節部材の外周面に係止突部を設けるとともに、肘掛け支柱の上部に、前記高さ調節部材を肘掛け支柱内に正規の位置まで嵌合したとき、前記係止突部が弾性係合する係止孔を設けた請求項１記載の椅子の肘掛け装置。
【請求項３】
高さ調節部材の上端の外周面に、肘掛け支柱の上端に当接する外向鍔を突設した請求項１または２記載の椅子の肘掛け装置。
【請求項４】
カバー部材の上端の内周面に、肘当て支持板が嵌合可能な係止段部を設け、その上面にに形成しためねじ孔に向かって、肘当て支持板の上方からねじを螺合することにより、カバー部材の上端を肘当て支持板に固定した請求項１〜３のいずれかに記載の椅子の肘掛け装置。
【請求項５】
肘当てが、肘当て基板とパッド部材との上下２分割構造をなし、肘当て支持板の上面に、前記肘当て基板を、その上方より螺合したねじにより取付けるとともに、肘当て基板の上部に、前記パッド部材を、肘当て基板の下方より螺合したねじにより固定した請求項１〜４のいずれかに記載の椅子の肘掛け装置。
【発明の詳細な説明】
【技術分野】
【０００１】
本発明は、肘当ての高さを調節しうるようにした椅子の肘掛け装置に関する。
【背景技術】
【０００２】
椅子の肘当ての高さを、着座者の体格による腕の位置の違い、あるいはコンピュータ等のＯＡ機器のキーボードを操作する際など、腕の支持位置を最適とするために調節しうるようにした肘掛け装置は、種々提案されている。（例えば特許文献１、２参照）。
【特許文献１】特開平９−１７３１７８号公報
【特許文献２】特開平１１−３４６８７２号公報
【発明の開示】
【発明が解決しようとする課題】
【０００３】
上記特許文献に記載されている肘掛け装置は、いずれも、肘掛け支柱に摺動可能に嵌合された肘当て支持杆の上部に、操作レバーを設け、それに連設された下向きの延出部を肘掛け支柱内に挿入し、これを、操作レバーの操作により前後に回動させて、下端に連係した係合軸を前後方向に移動させることにより、肘掛け支柱又はこれに嵌着したスライダに設けた上下複数段の調節孔と選択的に係脱させ、肘当ての高さを調節するようになっている。
【０００４】
そのため、予め操作レバーを肘当て支持杆に組付ける必要があり、かつ延出部の下端に係合軸を連係した状態で、延出部を肘掛け支柱内に挿入し、係合軸を肘掛け支柱又はスライダに設けた調節孔に係合しなければならず、組立て作業が面倒である。
【０００５】
本発明は、上記問題に鑑みてなされたもので、操作レバーを不要とし、高さ調節機構を含む全ての部材を、肘掛け支柱に、その上方より組付け可能とすることにより、肘掛け全体の組立て作業を容易に行いうるようにした椅子の肘掛け装置を提供することを目的としている。
【課題を解決するための手段】
【０００６】
本発明によると、上記課題は、次のようにして解決される。
（１）上端が開口された上方を向く筒状の肘掛け支柱の上端部内に、長手方向に沿って２分割構造をなし、かつ内面に上下複数段の係止溝を有する筒状の高さ調節部材を上方より嵌着し、該高さ調節部材内に、上端に肘当て支持板を有するとともに、前記係止溝に選択的に係脱可能な停止部材を備える肘当て支持杆を、上下に摺動可能に嵌合し、前記肘当て支持板に、その外周面と、前記肘当て支持杆及び肘掛け支柱の上部を覆う、上下両端が開口された筒状のカバー部材の上端を固定し、かつ前記肘当て支持板の上面に、肘当てを取付ける。
【０００７】
（２）上記(１)項において、高さ調節部材の外周面に係止突部を設けるとともに、肘掛け支柱の上部に、前記高さ調節部材を肘掛け支柱内に正規の位置まで嵌合したとき、前記係止突部が弾性係合する係止孔を設ける。
【０００８】
（３）上記(１)または(２)項において、高さ調節部材の上端の外周面に、肘掛け支柱の上端に当接する外向鍔を突設する。
【０００９】
（４）上記(１)〜(３)項のいずれかにおいて、カバー部材の上端の内周面に、肘当て支持板が嵌合可能な係止段部を設け、その上面にに形成しためねじ孔に向かって、肘当て支持板の上方からねじを螺合することにより、カバー部材の上端を肘当て支持板に固定する。
【００１０】
（５）上記(１)〜(４)項のいずれかにおいて、肘当てが、肘当て基板とパッド部材との上下２分割構造をなし、肘当て支持板の上面に、前記肘当て基板を、その上方より螺合したねじにより取付けるとともに、肘当て基板の上部に、前記パッド部材を、肘当て基板の下方より螺合したねじにより固定する。
【発明の効果】
【００１１】
請求項１記載の発明によれば、操作レバーを設けてこれを操作することなく、肘当ての高さを簡単に調節しうるとともに、高さ調節部材、肘当て支持杆、カバー部材、及び肘当て等の全ての部材を、肘掛け支柱に、その上方より極めて容易に組付けることができ、作業性が向上する。
【００１２】
請求項２記載の発明によれば、肘掛け支柱内に上方より高さ調節部材を嵌合するだけで、該高さ調節部材の上下移動を阻止することができる。
【００１３】
請求項３記載の発明によれば、高さ調節部材の上下方向の位置決めが容易となるとともに、肘当てに加わる荷重が、肘当て支持杆及び停止部材を介して高さ調節部材に作用しても、高さ調節部材が下方に移動する恐れはない。
【００１４】
請求項４記載の発明によれば、カバー部材の上端を、肘当て支持板に上方より簡単に固定しうるとともに、ねじが外部に露出しないので見栄えもよくなる。
【００１５】
請求項５記載の発明によれば、肘当て支持板に、その上方より肘当てを簡単に取付けることができ、かつ肘当て基板取付用のねじがパッド部材により覆われるので、体裁が損なわれることはない。
【発明を実施するための最良の形態】
【００１６】
以下、本発明の最良と思われる実施形態を、図面に基づいて説明する。
図１は、本発明の肘掛け装置の中央縦断側面図、図２は、同じく、肘当てを上昇させたときの中央縦断側面図、図３は、同じく分解斜視図である。
【００１７】
肘掛け装置(１)は、若干前傾（以下、図１の左方を前として説明する）して起立するように、図示しない椅子の支基等に下端が固着された肘掛け支柱(２)と、これに、後記する高さ調節機構(10)を介して上下動可能に嵌合された肘当て支持杆(３)と、この上端に、前後方向の中央部がほぼ水平をなして取付けられた肘当て(４)と、支柱カバー(５)とを備えている。
【００１８】
図４及び図５の断面図にも示すように、上記肘掛け支柱(２)は、上端が開口された楕円形断面をなす金属パイプにより形成されている。
【００１９】
上記肘当て支持杆(３)は、角筒状の金属パイプよりなり、その上端には、ほぼ水平をなすとともに、上面中央に支軸(６)が立設された円板状の基板(７)が固着されている。
【００２０】
支柱カバー(５)は、合成樹脂により、肘掛け支柱(２)に若干の隙間を設けて嵌合可能な楕円形断面に形成され、上端部には、上記基板(７)が嵌合しうる大きさの拡径部(5a)が形成され、かつその上端部の内周面には、基板(７)の外周部下面に当接しうる係止段部(８)が形成されている。
【００２１】
係止段部(８)には、支柱カバー(５)の上端を基板(７)に取付けるための左右１対のめねじ孔(９)(９)が設けられている。
【００２２】
肘掛け支柱(２)内には、肘当て(４)の高さ調節機構(10)が収容されている。
【００２３】
高さ調節機構(10)は、肘掛け支柱(２)内に嵌合されるとともに、中心部に肘当て支持杆(３)が上下に摺動可能に嵌合される方形のガイド孔(11)を有する左右２分割構造の合成樹脂製の高さ調節部材(12)と、肘当て支持杆(３)内に収容される側面視倒立Ｖ字状をなす合成樹脂製の停止部材(13)とを備えている。
【００２４】
高さ調節部材(12)は、平面視楕円形断面をなし、かつ図４及び図５に示すように、前後方向を向く分割線(Ｌ)を、高さ調節部材(12)を左右に２等分する前後方向を向く中心線に対し、左右方向にずらしてあり、高さ調節部材(12)を中心として点対称をなす位置で、２分割しうるようになっている。
【００２５】
分割された外方（右半部）の半筒状片(12a)の厚肉かつ左右寸法の大きい前部の内面には、上端部を除いて、斜め後ろ上方に開口する上下複数段の係止溝(14)が、一定間隔おきに形成されている。係止溝(14)の左右方向の中心は、組付後の高さ調節部材(12)を左右に２等分する中心線とほぼ整合し、その左右方向の中央に位置するようにしてある。
【００２６】
このように、高さ調節部材(12)の分割位置を左右方向にずらし、一方（右方）の半筒状片(12a)のみに係止溝(14)を設けると、高さ調節部材(12)の成形用の金型の一方の構造が簡単となり、コストが削減される。また、両方の半筒状片(12a)(12b)に係止溝(14)を設け、それらを突合わせたときに生じ易い段差や、成形時の誤作等をなくすことができる。
【００２７】
各係止溝(14)の分割面側の側端は、分割面に開口するとともに、内方（左半部）の半筒状片(12b)の突き合わせ対向面により閉塞されている。
【００２８】
左右の半筒状片(12a)(12b)の対向面、すなわち高さ調節部材(12)におけるガイド孔(11)の左右の対向面には、上下方向を向く前後２条の縦溝(15a)(15b)の上下両端同士を、それぞれ斜め後ろ上方を向く傾斜溝(15c)と、同じく斜め後ろ上方を向く円弧状の傾斜溝(15d)により接続してなる無端状のガイド溝(15)が、左右対向状に形成されている。
【００２９】
上下の傾斜溝(15c)(15d)は、それぞれ最上段及び最下段の係止溝(14)の高さとほぼ同等か、それよりもやや上方に形成され、また前部の縦溝(15a)の下端は、最下段の係止溝(14)の下端の高さとほぼ等高をなす位置に形成されている（図１０参照）。
【００３０】
高さ調節部材(12)は、肘掛け支柱(２)内に上方より嵌合され、上端の外向鍔部(16)を肘掛け支柱(２)の上端に係止するとともに、左右の半筒状片(12a)(12b)の上端部外面に突設した係止突部(17)を、支柱(２)の上端に穿設した係止孔(18)に弾性係合することにより、上方に抜け止めされて肘掛け支柱(２)内に嵌合されている。
【００３１】
上記嵌合後において、外向鍔部(16)の外周面と肘掛け支柱(２)の外周面とは、同一面に整合し、後から嵌合される支柱カバー(５)の取付けに支障を来さないようになっている（図１参照）。
【００３２】
上記停止部材(13)は、上下方向を向く厚肉の基片(13a)の上端に、斜め前下方に垂下する若干薄肉の弾性変形可能な停止片(13b)を、倒立Ｖ字状をなすように一体的に連設して形成され、停止片(13b)の下端には、各段の係止溝(14)に係脱可能な係止爪(13c)が、斜め前下方を向いて連設されている。
【００３３】
停止部材(13)は、肘当て支持杆(３)内に下方より収容したのち、その左右の両側板に穿設された軸孔(19)に挿入した左右方向を向く枢支ピン(20)を、停止部材(13)の上端の軸孔(21)に挿通することにより、肘当て支持杆(３)内において前後に回動可能に枢支され、かつ停止片(13b)の下端の係止爪(13c)は、肘当て支持杆(３)の下端部の前面に穿設された方形孔(22)より前方に突出しうるようになっている。
【００３４】
停止部材(13)の基片(13a)の下端は、その部分に挿通した左右方向を向く長寸のガイドピン(23)を肘当て支持杆(３)の両側板の下端部に穿設された、斜め後ろ上方を向く長孔(24)に摺動自在に遊嵌することにより、前後に移動可能に支持されている。
【００３５】
ガイドピン(23)における長孔(24)よりの突出端部は、高さ調節部材(12)の左右のガイド溝(15)における前部の縦溝(15a)に、摺動自在に嵌合されている（図１０参照）。
【００３６】
停止部材(13)の取付後において、その係止爪(13c)は、肘当て支持杆(３)の方形孔(22)より前方に突出し、停止部材(13)が下限に位置しているとき、すなわちガイドピン(23)が前部の縦溝(15a)の下端に位置しているとき、係止爪(13c)は、自由状態で最下段の係止溝(14)に進入して係合するようになっている。
【００３７】
上記肘当て(４)は、前後方向を向く平面視ほぼ長方形をなすとともに、外周縁に、後端に向かうにしたがって、上下寸法を漸次大とした縁片(25a)を有する硬質合成樹脂製の肘当て基板(25)と、その上面に止着されるパッド部材(26)とからなり、縁片(25a)の上端面には、凹溝(27)が全周に亘って形成されている。
【００３８】
図８及び図９の拡大図にも示すように、縁片(25a)における凹溝(27)より内方の上端面には、起立片(28)が全周に亘って、かつ凹溝(27)の内端と連続するように立設されている。
【００３９】
肘当て基板(25)の中央部に形成された円形の下向膨出部(29)と上面中央に突設された円筒部(30)には、上下方向を向く取付孔(31)が貫設されている。
【００４０】
図６に示すように、円筒部(30)の前部の外周面には、平面視後向きコ字状の有底の保持片(32)が一体成形され、この保持片(32)と円筒部(30)の外周面とにより囲まれたほぼ方形の凹部(33)内には、ゴム等の弾性体(34)が収容されている。
【００４１】
円筒部(30)における保持片(32)の凹部(33)に面する部分には、切欠き(35)が形成され、この切欠き(35)内には、上下方向を向く係止ピン(36)が、前端部外周面を弾性体(34)の後面に当接させるとともに、後端部を円筒部(30)の取付孔(31)内に若干突出させて、前後方向に移動可能に嵌合されている。
【００４２】
図１に示すように、下向膨出部(29)における上記保持片(32)の凹部(33)の直下には、通孔(37)が上下に貫設されており、この通孔(37)に下方より工具等を挿し込むことにより、凹部(33)内に収容した弾性体(34)を取外すことができる。
【００４３】
図６に示すように、肘当て基板(25)の上面には、円筒部(30)及び保持片(32)の外周面から起立片(28)に向かって放射状に延びる複数の補強リブ(38)が一体成形され、基板(25)の撓み剛性を高めている。
【００４４】
上記パッド部材(26)は、上面に、長軸側が前後方向を向いて直線上に並ぶ楕円もしくは長円形をなす多数の小孔(39)を有する硬質合成樹脂製の芯材(40)と、その全表面を覆うとともに、各小孔(39)にも充填されるようにして、芯材(40)と一体的にインサート成形された軟質合成樹脂製の表装材(41)とからなっている。
【００４５】
上記芯材(40)は、適度の弾性を有する例えばポリプロピレン、ポリエチレン等により、また表装材(41)は、柔軟性と弾性を有する例えばポリウレタンまたはポリエステル系のエラストマにより、それぞれ形成されている。
【００４６】
また、上記各小孔(39)は、上端が漸次拡開する逆台形状断面をなし、かつその配列は、前後方向に一定の間隔で直線状に並ぶとともに、左右に隣接する小孔(39)同士が千鳥足状をなすように交互に前後にずらして配置されている。
【００４７】
このように、小孔(39)を逆台形状断面とすると、表装材(41)の素材の小孔(39)への流動性が良好となるとともに、固化時の引けが生じにくくなるので、表装材(41)の表面に凹凸面が形成されるのが防止される。
【００４８】
芯材(40)の外周縁には、肘当て基板(25)の起立片(28)の外面に嵌合されるとともに、下端が凹溝(27)の中央部と対向する下向片(42)が一体成形されている。上記下向片(42)の下端部の外周面には、外向きの水平突条(43)が、肘当て基板(25)における凹溝(27)より外方の周端部上面とほぼ対向するように突設されている。
【００４９】
表装材(41)の外周端部は、芯材(40)の下向片(42)の外周面と下端を覆うように下向きに折曲されたのち、下向片(42)の内面に沿って上向きに折り返されて一体成形され、その上向折曲片(44)の内周面は、肘当て基板(25)の起立片(28)の外周面に摺接して嵌合可能となっている。
【００５０】
また、下向片(42)の下端及びその下端部を覆っている表装材(41)の下端部の下向突条(45)は、肘当て基板(25)の外周部上面の凹溝(27)内に嵌合しうるようになっている（図８、図９参照）。
【００５１】
肘当て基板(25)にパッド部材(26)を取付けるには、図８及び図９に示すように、パッド部材(26)における表装材(41)の上向折曲片(44)を、肘当て基板(25)の起立片(28)に上方より外嵌するとともに、下向突条(45)を凹溝(27)に嵌合したのち、芯材(40)の下面の四隅部に突設された４個のめねじ筒(46)に、肘当て基板(25)の上面の四隅部に突設された、スペーサを兼ねる４個のボス部(47)に下方より挿通した皿ねじ(48)を螺挿して締付ける。これによりパッド部材(26)は、肘当て基板(25)の補強リブ(38)の上端と芯材(40)の下面との間に、所要の空間を設けて固定される。
【００５２】
この取付け時において、表装材(41)における下向突条(45)と水平突条(43)の下部が、皿ねじ(48)を締付けた際に、芯材(40)の下向片(42)の下端、及び水平突条(43)により肘当て基板(25)に押し付けられて圧縮させられるので、表装材(41)の外周部の保持強度が高まり、肘当て基板(25)の外周部より簡単に外れたりするのが防止される。また、肘当て基板(25)の外周縁部には、起立片(28)が設けられ、これにパッド部材(26)における表装材(41)の上向折曲片(44)を嵌合するだけで、肘当て基板(25)に対し、パッド部材(26)を簡単に位置決めして装着することができる。
【００５３】
上記肘当て支持杆(３)における基板(７)の上面には、図１及び図３に示すように、上面中央に支持筒(49)が立設された円板状の肘当て支持板(50)が、その中心の軸孔(50a)を基板(７)の支軸(６)に嵌合するとともに、下面に突設した前後１対の位置決めピン(51)を、基板(７)に穿設した前後１対の円孔(52)に嵌合することにより、回動不能として載置されている。
【００５４】
また、肘当て支持板(50)は、それに穿設された左右１対の通孔(53)に上方より挿入したねじ(54)を、基板(７)の左右１対の通孔(55)に挿通して、肘掛け支柱(２)に嵌合された支柱カバー(５)の上端の１対のめねじ孔(９)に螺合することにより、支柱カバー(５)と共に基板(７)に固定されている。
【００５５】
支持筒(49)の前部外周面には、図６に示すように、上記係止ピン(36)の後部が嵌合可能な上下方向を向く円弧状の複数（実施形態では３個）の停止溝(56)が、所定の間隔で形成されている。中央の停止溝(56)は、支持筒(49)の前後方向の中心線上に、またその両側の停止溝(56)は、前後方向の中心線に対し、ほぼ３０°円周方向にずらした位置に、それぞれ形成されている。
【００５６】
支持筒(49)の後部外周面には、その上端部を円周方向に円弧状に切欠くことにより、ストッパ溝(57)が形成されている。
【００５７】
肘当て支持板(50)には、肘当て(４)における肘当て基板(25)が、その取付孔(31)を、肘当て支持板(50)の支持筒(49)に嵌合することにより、水平に回動可能として支持されている。
【００５８】
この際、肘当て基板(25)の円筒部(30)の凹部(33)に収容した弾性体(34)に、円筒部(30)の切欠き(35)に挿入した停止ピン(36)の前面を圧接させ、該停止ピン(36)の後部外周面を支持筒(49)の中央の停止溝(56)に嵌合することにより、肘当て(４)は、ほぼ真っ直ぐな前後方向を向いて停止保持される。
【００５９】
また、この位置において肘当て(４)を左右いずれかの方向に回動させると、図７に示すように、停止ピン(36)が弾性体(34)を圧縮させて中央の停止溝(56)より離脱し、その両側のいずれかの停止溝(56)に突入して係合することにより、肘当て(４)はほぼ３０°回動した位置で停止する。
従って、肘当て(４)の水平（左右）方向の位置を、停止溝(56)の数だけ段階的に調節することができる。
【００６０】
肘当て(４)の最大回動量は、円筒部(30)の後部内面の中心線上に内向き突設したストッパ突部(58)が、上記支持筒(49)の後面のストッパ溝(57)内において、その円周方向の両端面(57a)に当接することにより規制される。
【００６１】
肘当て基板(25)の円筒部(30)の上面と、肘当て支持板(50)の支持筒(49)の上面とには、弾性体(34)の上面を覆いうる大きさの円板状の押え板(59)が載置され、基板(７)の支軸(６)に形成しためねじ孔(60)に、上方より段付きねじ(61)を螺合することにより固定されている。
【００６２】
上記押え板(59)により、肘当て(４)の肘当て支持板(50)よりの抜け外れ防止と、弾性体(34)及び停止ピン(36)の浮き上がり防止とが図られている。
【００６３】
図１０の(ａ)〜(ｄ)は、肘当て(４)の高さを調節する際の高さ調節機構(10)の作用を示している。
【００６４】
肘当て(４)が下限に位置している状態（図１の状態）では、図１０(ａ)に示すように、ガイドピン(23)が、高さ調節部材(12)のガイド溝(15)における前部の縦溝(15a)の下端と当接することにより、停止部材(13)の係止爪(13c)は、最下段の係止溝(14)に進入して係止されている。
【００６５】
この状態から肘当て(４)を引き上げると、図１０(ｂ)に示すように、ガイドピン(23)が前部の縦溝(15a)に沿って上昇することにより、係止爪(13c)は、停止部材(13)の停止片(13b)を後方に弾性変形させながら上方に移動し、最下段の係止溝(14)より離脱する。
【００６６】
この状態から肘当て(４)をさらに、引き上げると、係止爪(13c)は、弾性変形させられていた停止片(13b)の弾性復元力により、第２段目の係止溝(14)に自動的に突入して弾性係合され、肘当て(４)はその位置で停止保持される。
【００６７】
この位置から、さらに肘当て(４)を引き上げると、上記動作を繰り返すことにより、順次上段の係止溝(14)に係止爪(13b)が弾性係合し、肘当て(４)の高さを段階的に調節することができる。
【００６８】
肘当て(４)を上限位置まで引き上げると、図１０(ｃ)に示すように、ガイドピン(23)が、ガイド溝(15)における上部の斜め後ろ上方を向く傾斜溝(15c)に沿って、後部の縦溝(15b)の上端に移動することにより、停止部材(13)全体が上端の枢支ピン(20)を中心として後ろ上方に回動させられ、係止爪(13b)は、最上段の係止溝(14)より離脱する。
【００６９】
この状態で肘当て(４)を下降させると、図１０(ｄ)に示すように、ガイドピン(23)が後部の縦溝(15b)に沿って下方に移動することにより、停止部材(13)及び肘当て(４)は下限位置まで一度に下降するとともに、ガイドピン(23)が、下部の傾斜溝(15d)に沿って、前部の縦溝(15a)の下端まで斜め前下方に移動させられることにより、停止部材(13)全体が枢支ピン(20)を中心として前方に回動し、係止爪(13c)は最下段の係止溝(14)に自動的に再係合し、図１０(ａ)の状態に復帰する。
【００７０】
このように、単に肘当て(４)自体を昇降させるだけの簡単な操作で、その高さを段階的に調節することができる。
なお、上記肘当て(４)を下向させる際、自重により急速に下降するのを防止し、下限位置で停止したときの衝撃を緩和するために、ガイド溝(15)における後部の縦溝(15b)の幅を、ガイドピン(23)が適度の摩擦力をもって摺動しうる寸法としたり、縦溝(15b)の内面にゴム等の摩擦シートを貼着するなどしてもよい。
【００７１】
上記実施形態では、肘当て支持杆(３)の上端に基板(７)を固着し、その上面に肘当て支持板(50)を設けているが、基板(７)を省略し、肘当て支持板(50)を直接肘当て支持杆(３)の上端に固着してもよい。
【００７２】
パッド部材(26)は、芯材(40)と表装材(41)とを一体成形して構成されているが、それらを別々に成形して、接着剤等により貼着して形成してもよい。この際、芯材(40)の小孔(39)は、その開口面を表装材(41)により単に覆うのみとしてもよい。
【００７３】
上記実施形態では、上下複数段の係止溝(14)を、２分割とした一方（右方）の半筒状片(12a)の前部内面に設けたが、それを、他方（左方）の半筒状片(12b)の後部内面に設けてもよい。この際には、停止部材(13)の向きを前後反対とすればよい。
【００７４】
また、高さ調節部材(12)の分割位置は、それを左右に２等分する中心線に対し、単に左右いずれか一方に偏倚させ、左右寸法の大きい方の半筒状片に、係止溝(14)を設けることもある。
【図面の簡単な説明】
【００７５】
【図１】本発明の肘掛け装置の中央縦断側面図である。
【図２】同じく、肘当ての高さを調節したときの中央縦断側面図である。
【図３】同じく、肘掛け装置の分解斜視図である。
【図４】図１のIＶ−IＶ線拡大横断平面図である。
【図５】同じく、Ｖ−Ｖ線拡大横断平面図である。
【図６】肘当ての一部切欠き拡大平面図である。
【図７】同じく、水平位置を調節したときの一部切欠き平面図である。
【図８】肘当て前部の拡大縦断側面図である。
【図９】図８のIＸ−IＸ線縦断面図である。
【図１０】肘当ての高さ調節機構の作用を段階的に示す概略断面図である。
【符号の説明】
【００７６】
(１)肘掛け装置
(２)肘掛け支柱
(３)肘当て支持杆
(４)肘当て
(５)支柱カバー（カバー部材）
(5a)拡径部
(６)支軸
(７)基板
(８)係止段部
(９)めねじ孔
(10)高さ調節機構
(11)ガイド孔
(12)高さ調節部材
(12a)(12b)半筒状片
(13)停止部材
(13a)基片
(13b)停止片
(13d)係止爪
(14)係止溝
(15)ガイド溝
(15a)(15b)縦溝
(15c)(15d)傾斜溝
(16)外向鍔部
(17)係止突部
(18)係合孔
(19)軸孔
(20)枢支ピン
(21)軸孔
(22)方形孔
(23)ガイドピン
(24)長孔
(25)肘当て基板
(25a)縁片
(26)パッド部材
(27)凹溝
(28)起立片
(29)下向膨出部
(30)円筒部
(31)取付孔
(32)保持片
(33)凹部
(34)弾性体
(35)切欠き
(36)係止ピン
(37)通孔
(38)補強リブ
(39)小孔
(40)芯材
(41)表装材
(42)下向片
(43)水平突条
(44)上向折曲片
(45)下向突条
(46)めねじ筒
(47)ボス部
(48)皿ねじ
(49)支持筒
(50)肘当て支持板
(50a)軸孔
(51)位置決めピン
(52)円孔
(53)通孔
(54)ねじ
(55)通孔
(56)停止溝
(57)ストッパ溝
(57a)端面
(58)ストッパ突部
(59)押え板
(60)めねじ孔
(61)段付きねじ
(Ｌ)分割線
【図１】
2005131236.tif 000003
【図２】
2005131236.tif 000004
【図３】
2005131236.tif 000005
【図４】
2005131236.tif 000006
【図５】
2005131236.tif 000007
【図６】
2005131236.tif 000008
【図７】
2005131236.tif 000009
【図８】
2005131236.tif 000010
【図９】
2005131236.tif 000011
【図１０】
2005131236.tif 000012